(57)【要約】【課題】電力系統からの電力供給の停止が長時間になっても、発電装置の運転を開始してその運転を継続できるＬＮＧサテライト設備を提供する。【解決手段】ＬＮＧを気化して得られる天然ガスを含む燃料ガスを発電装置１１に供給する燃料ガス供給部３０と、発電装置１１とを備えるＬＮＧサテライト設備であって、蓄電部２１を有し、発電装置１１を起動するための電力を発電装置１１に供給できる補助電源装置２０を備え、燃料ガス供給部３０は、ＬＮＧを気化する気化部３６と、熱を気化部３６に供給する熱供給部３１とを有し、電源切替装置８は、交流線２に電力系統１及び発電装置１１の少なくとも一方から電力が供給されている場合、交流線２から供給される電力を気化部３６に供給し、交流線２に電力系統１及び発電装置１１の両方から電力が供給されていない場合、補助電源装置２０から供給される電力を気化部３６に供給する。【選択図】図１
2020056465.tif 000002
【特許請求の範囲】
【請求項１】
ＬＮＧを気化して得られる天然ガスを含む燃料ガスを発電装置に供給する燃料ガス供給部と、前記燃料ガス供給部から供給される燃料ガスを消費して発電を行う前記発電装置と、電力系統及び前記発電装置の少なくとも一方から電力が供給される交流線とを備えるＬＮＧサテライト設備であって、
前記交流線に接続される蓄電部を有し、前記交流線に供給されている電力を前記蓄電部で蓄えると共に、前記発電装置を起動するための電力を前記発電装置に供給できる補助電源装置を備え、
前記燃料ガス供給部は、供給される熱を保持すると共にその保持している熱とＬＮＧとの温度差によりＬＮＧを気化する気化部と、熱を前記気化部に供給する熱供給部とを有し、前記熱供給部は前記交流線から電力の供給を受けて動作し、前記気化部は複数の電力供給元に接続される電源切替装置から電力の供給を受けて動作するように構成され、
前記電源切替装置は、前記交流線に前記電力系統及び前記発電装置の少なくとも一方から電力が供給されている場合、前記電力供給元としての前記交流線から供給される電力を前記気化部に供給し、前記交流線に前記電力系統及び前記発電装置の両方から電力が供給されていない場合、前記電力供給元としての前記補助電源装置から供給される電力を前記気化部に供給するように構成されるＬＮＧサテライト設備。
【請求項２】
前記燃料ガス供給部は、ＬＮＧ貯槽で発生したボイルオフガスを前記燃料ガスとして前記発電装置に供給するボイルオフガス供給部を有し、
前記ボイルオフガス供給部は前記電源切替装置から電力の供給を受けて動作するように構成され、前記電源切替装置は、前記交流線に前記電力系統及び前記発電装置の少なくとも一方から電力が供給されている場合、前記電力供給元としての前記交流線から供給される電力を前記気化部及び前記ボイルオフガス供給部に供給し、前記交流線に前記電力系統及び前記発電装置の両方から電力が供給されていない場合、前記電力供給元としての前記補助電源装置から供給される電力を前記気化部及び前記ボイルオフガス供給部に供給するように構成される請求項１に記載のＬＮＧサテライト設備。
【請求項３】
ＬＮＧを気化して得られる天然ガスを含む燃料ガスを発電装置に供給する燃料ガス供給部と、前記燃料ガス供給部から供給される燃料ガスを消費して発電を行う前記発電装置と、電力系統及び前記発電装置の少なくとも一方から電力が供給される交流線とを備えるＬＮＧサテライト設備であって、
前記交流線に接続される蓄電部を有し、前記交流線に供給されている電力を前記蓄電部で蓄えると共に、前記発電装置を起動するための電力を前記発電装置に供給できる補助電源装置と、
前記交流線及び前記補助電源装置に接続されて、前記交流線及び前記補助電源装置の少なくとも何れか一方から電力の供給を受けることができる無停電電源装置とを備え、
前記燃料ガス供給部は、供給される熱を保持すると共にその保持している熱とＬＮＧとの温度差によりＬＮＧを気化する気化部と、熱を前記気化部に供給する熱供給部とを有し、前記熱供給部は前記交流線から電力の供給を受けて動作し、前記気化部は前記無停電電源装置を介して電力の供給を受けて動作するように構成されるＬＮＧサテライト設備。
【請求項４】
前記燃料ガス供給部は、ＬＮＧ貯槽で発生したボイルオフガスを前記燃料ガスとして前記発電装置に供給するボイルオフガス供給部を有し、
前記ボイルオフガス供給部は前記無停電電源装置を介して電力の供給を受けて動作するように構成される請求項３に記載のＬＮＧサテライト設備。
【請求項５】
前記発電装置は、前記電力系統から前記交流線への電力供給が停止すると、発電を停止した後、前記補助電源装置から供給される電力を用いて動作することで発電を再開するように構成されている請求項１〜４の何れか一項に記載のＬＮＧサテライト設備。
【請求項６】
前記燃料ガス供給部から前記発電装置に供給される燃料ガスが通るガス流路の途中に、燃料ガスを一時的に貯えることができる貯留空間を有する燃料ガス貯留部を備える請求項１〜５の何れか一項に記載のＬＮＧサテライト設備。
【請求項７】
前記熱供給部は、前記交流線への電力供給が再開されると、動作を再開するように構成されている請求項１〜６の何れか一項に記載のＬＮＧサテライト設備。
【請求項８】
前記気化部は、前記交流線から電力が供給されないことで前記熱供給部が動作できないために前記熱供給部から前記気化部に熱を継続的に供給できない場合であっても、ＬＮＧを気化して所定量の天然ガスを生成できる熱を保持可能な熱媒体を有するように構成され、
前記所定量は、前記発電装置を起動してその発電電力を前記交流線に供給できるようになるまでの間に前記発電装置で消費される前記燃料ガスとしての天然ガスの量に相当する請求項１〜７の何れか一項に記載のＬＮＧサテライト設備。
【発明の詳細な説明】
【技術分野】
【０００１】
本発明は、ＬＮＧを気化して得られる天然ガスを含む燃料ガスを発電装置に供給する燃料ガス供給部と、燃料ガス供給部から供給される燃料ガスを消費して発電を行う発電装置と、電力系統及び発電装置の少なくとも一方から電力が供給される交流線とを備えるＬＮＧサテライト設備に関する。
【背景技術】
【０００２】
ＬＮＧ（液化天然ガス）を輸送するＬＮＧタンカーを受け入れるＬＮＧ受入基地から、例えばＬＮＧローリーなどを用いてＬＮＧをＬＮＧサテライト基地に輸送し、そのＬＮＧサテライト基地で所望の熱量のガスを製造することが行われている。ＬＮＧサテライト基地に設けられる装置で構成されるＬＮＧサテライト設備には、ＬＮＧを気化して得られる天然ガスを含む燃料ガスを発電装置に供給する燃料ガス供給部と、その燃料ガス供給部から供給される燃料ガスを消費して発電を行う発電装置とが設置されることもある。このような発電装置を電力系統が停電している間に動作させることができれば、電力系統で停電が発生している間にもＬＮＧの気化を行いつつ、ＬＮＧサテライト基地に設置されている幾つかの電力負荷に対して電力を供給できる。
【０００３】
特許文献１（特開２００８−１４４８７７号公報）には、ＬＮＧサテライト基地に発電装置としてのコージェネレーションシステムを設置した設備が記載されている。このコージェネレーションシステムは、ＬＮＧを移送するタンクローリーから供給されるＬＮＧを気化して得られる天然ガスを消費して動作し、コージェネレーションシステムで発生した熱と電力とをＬＮＧサテライト基地内に供給する。
【０００４】
特許文献１に記載の設備では、ＬＮＧサテライト基地でＬＮＧを気化するための気化部として、コージェネレーションシステムで発生した熱を利用した温水式のものが設けられている。尚、特許文献１には記載されていないが、温水を循環させるためのポンプ、及び、ＬＮＧやガスの流路を開閉する電磁弁などの電気機器は必要であるため、ＬＮＧを気化するために電力は必要である。
他にも、ＬＮＧサテライト基地において、ガスの燃焼熱を利用して熱媒を加熱するボイラを設け、そのボイラで加熱された熱媒の熱でＬＮＧを気化させる気化部が用いられることもある。このような気化部でも、ＬＮＧやガスの流路を開閉する電磁弁などの電気機器は必要である。加えて、上述のようなボイラでは、ガスの燃焼に用いられる空気をボイラに供給するファンなどを動作させるため、及び、熱媒を流動させるポンプを動作させるため等に電力が必要である。
【先行技術文献】
【特許文献】
【０００５】
【特許文献１】特開２００８−１４４８７７号公報
【発明の概要】
【発明が解決しようとする課題】
【０００６】
ＬＮＧサテライト基地に電力を供給する電力系統で停電が発生した場合、発電装置を起動するための起動用電源が設けられていたとしても、気化部を含む燃料ガス供給部に電力を供給できなければ、発電装置に燃料ガスを供給できず、電力系統の停電中に発電装置の起動や運転の継続を行えない事態に至る。
【０００７】
尚、燃料ガス供給部に電力を供給するための非常用発電機や無停電電源装置を設けておき、電力系統で停電が発生した状況下で燃料ガス供給部に電力を供給することも可能ではある。しかし、非常用発電機を設置すると設備が大型化し且つコストが上昇し且つ継続的な保守管理が必要になるという問題が発生し、長時間の給電が可能な無停電電源装置を設置すると同じく設備が大型化し且つコストが上昇するという問題が発生する。
【０００８】
そのため、燃料ガス供給部に対して電力を供給できる無停電電源装置を設置するとしても、短時間の給電が可能な無停電電源装置を設置するのが、電力系統の停電に対する現実的な対応になると考えられる。その場合、電力系統で停電が発生した後、短時間の間に発電装置の起動を行うのであれば、無停電電源装置から供給される電力によって動作する燃料ガス供給部の気化部でＬＮＧを気化し、気化された天然ガスを含む燃料ガスを発電装置に供給できる。
【０００９】
但し、発電装置への燃料ガスの供給を行えるとしても、発電装置側の問題によって発電装置を早期に起動できないこともある。例えば、電力系統で停電が発生した状況下で発電装置を起動するとき、その前に、遮断器を操作して電力負荷に対する給電経路を切り替えるなどの手順が必要であれば、そのような遮断器の操作に時間がかかり、発電装置を早期に起動できないことがある。また、発電装置が、燃料ガスを消費して動作するエンジンと、そのエンジンによって駆動される発電機とを有する場合、エンジンのノッキングや失火などの異常が発生すれば、発電装置を早期に起動できない可能性もある。
【００１０】
そして、電力系統で停電が発生した後、早期に（例えば、無停電電源装置の給電可能時間内に）発電装置を起動できないと、燃料ガス供給部側では無停電電源装置からの電力の供給も行われなくなって（即ち、電磁弁なども動作できなくなって）、発電装置への燃料ガスの供給も行えなくなるという事態に至る。また、燃料ガス供給部側で無停電電源装置からの電力の供給も行われなくなることで、燃料ガス供給部が重故障停止といった状態（例えばＬＮＧやガスの流路に設けられた緊急遮断弁が閉作動した状態など）に移行することもある。その場合、発電装置を起動用電源を用いて起動できても、燃料ガス供給部が動作を再開しないために発電装置には燃料ガスが供給されず、発電装置は運転継続できなくなる。
【００１１】
本発明は、上記の課題に鑑みてなされたものであり、その目的は、電力系統からの電力供給の停止が長時間になっても、発電装置の運転を開始してその運転を継続できるＬＮＧサテライト設備を提供する点にある。
【課題を解決するための手段】
【００１２】
上記目的を達成するための本発明に係るＬＮＧサテライト設備の特徴構成は、ＬＮＧを気化して得られる天然ガスを含む燃料ガスを発電装置に供給する燃料ガス供給部と、前記燃料ガス供給部から供給される燃料ガスを消費して発電を行う前記発電装置と、電力系統及び前記発電装置の少なくとも一方から電力が供給される交流線とを備えるＬＮＧサテライト設備であって、
前記交流線に接続される蓄電部を有し、前記交流線に供給されている電力を前記蓄電部で蓄えると共に、前記発電装置を起動するための電力を前記発電装置に供給できる補助電源装置を備え、
前記燃料ガス供給部は、供給される熱を保持すると共にその保持している熱とＬＮＧとの温度差によりＬＮＧを気化する気化部と、熱を前記気化部に供給する熱供給部とを有し、前記熱供給部は前記交流線から電力の供給を受けて動作し、前記気化部は複数の電力供給元に接続される電源切替装置から電力の供給を受けて動作するように構成され、
前記電源切替装置は、前記交流線に前記電力系統及び前記発電装置の少なくとも一方から電力が供給されている場合、前記電力供給元としての前記交流線から供給される電力を前記気化部に供給し、前記交流線に前記電力系統及び前記発電装置の両方から電力が供給されていない場合、前記電力供給元としての前記補助電源装置から供給される電力を前記気化部に供給するように構成される点にある。
【００１３】
上記特徴構成によれば、電力系統及び発電装置の少なくとも一方から交流線に電力が供給されている場合、燃料ガス供給部の熱供給部には交流線から電力が供給され、燃料ガス供給部の気化部には交流線から電源切替装置を経由して電力が供給される。つまり、燃料ガス供給部の気化部では、熱供給部から供給される熱を用いてＬＮＧの気化を継続的に行うことができる。その結果、発電装置では、燃料ガス供給部から継続的に供給される燃料ガスを消費して、運転を継続できる。
【００１４】
交流線に電力系統及び発電装置の両方から電力が供給されていない場合、即ち、例えば電力系統で停電などが発生すると共に発電装置の運転が停止している状況であっても、気化部は、発電装置を起動するための電力を供給できる補助電源装置から、電源切替装置を経由して供給される電力を用いて動作できる。そのため、交流線から電力が供給されないことで熱供給部が動作できないために熱供給部から気化部に熱を継続的に供給できなくても、気化部が保持している熱とＬＮＧとの温度差が有る限りは、ＬＮＧを気化して得られる天然ガスを含む燃料ガスが発電装置に供給される。その結果、発電装置は、電力系統で停電などが発生すると共に発電装置の運転が停止している状況であっても、燃料ガス供給部から供給される燃料ガスを消費して運転を開始してその運転を一時的であっても継続できる。
【００１５】
以上のように、本特徴構成では、電力系統で停電などが発生すると共に発電装置の運転が停止している状況であっても、発電装置の運転を開始してその運転を一時的であっても継続することで、発電装置から交流線に電力が供給される状況が作り出される。その結果、燃料ガス供給部の熱供給部には交流線から電力が供給されるため、燃料ガス供給部では、熱供給部から気化部に熱が継続的に供給され、且つ、供給される熱を用いて気化部でＬＮＧが継続的に気化される。そして、燃料ガス供給部から発電装置に対して燃料ガスが継続的に供給されるため、発電装置は運転を継続して交流線に電力の供給を行い続けることができる。
従って、電力系統からの電力供給の停止が長時間になっても、発電装置の運転を開始してその運転を継続できるＬＮＧサテライト設備を提供できる。
【００１６】
本発明に係るＬＮＧサテライト設備の別の特徴構成は、前記燃料ガス供給部は、ＬＮＧ貯槽で発生したボイルオフガスを前記燃料ガスとして前記発電装置に供給するボイルオフガス供給部を有し、
前記ボイルオフガス供給部は前記電源切替装置から電力の供給を受けて動作するように構成され、前記電源切替装置は、前記交流線に前記電力系統及び前記発電装置の少なくとも一方から電力が供給されている場合、前記電力供給元としての前記交流線から供給される電力を前記気化部及び前記ボイルオフガス供給部に供給し、前記交流線に前記電力系統及び前記発電装置の両方から電力が供給されていない場合、前記電力供給元としての前記補助電源装置から供給される電力を前記気化部及び前記ボイルオフガス供給部に供給するように構成される点にある。
【００１７】
上記特徴構成によれば、交流線に電力系統及び発電装置の両方から電力が供給されていない場合、即ち、例えば電力系統で停電などが発生すると共に発電装置の運転が停止している状況であっても、気化部及びボイルオフガス供給部は、発電装置を起動するための電力を供給できる補助電源装置から、電源切替装置を経由して供給される電力を用いて動作できる。そのため、上述したように気化部で気化された天然ガスを発電装置に供給できるだけでなく、ボイルオフガス供給部から発電装置にボイルオフガスを供給できる。よって、気化部から発電装置へ供給できるガス量が少なくても、ボイルオフガス供給部から供給されるガスによって、発電装置が必要とする燃料ガス量の少なくとも一部を賄うことができる。
【００１８】
本発明に係るＬＮＧサテライト設備の更に別の特徴構成は、ＬＮＧを気化して得られる天然ガスを含む燃料ガスを発電装置に供給する燃料ガス供給部と、前記燃料ガス供給部から供給される燃料ガスを消費して発電を行う前記発電装置と、電力系統及び前記発電装置の少なくとも一方から電力が供給される交流線とを備えるＬＮＧサテライト設備であって、
前記交流線に接続される蓄電部を有し、前記交流線に供給されている電力を前記蓄電部で蓄えると共に、前記発電装置を起動するための電力を前記発電装置に供給できる補助電源装置と、
前記交流線及び前記補助電源装置に接続されて、前記交流線及び前記補助電源装置の少なくとも何れか一方から電力の供給を受けることができる無停電電源装置とを備え、
前記燃料ガス供給部は、供給される熱を保持すると共にその保持している熱とＬＮＧとの温度差によりＬＮＧを気化する気化部と、熱を前記気化部に供給する熱供給部とを有し、前記熱供給部は前記交流線から電力の供給を受けて動作し、前記気化部は前記無停電電源装置を介して電力の供給を受けて動作するように構成される点にある。
【００１９】
上記特徴構成によれば、電力系統及び発電装置の少なくとも一方から交流線に電力が供給されている場合、燃料ガス供給部の熱供給部には交流線から電力が供給される。また、無停電電源装置には交流線からの電力供給も行われるので、燃料ガス供給部の気化部には無停電電源装置から継続して電力が供給される。つまり、燃料ガス供給部の気化部では、熱供給部から供給される熱を用いてＬＮＧの気化を継続的に行うことができる。その結果、発電装置では、燃料ガス供給部から継続的に供給される燃料ガスを消費して、運転を継続できる。
【００２０】
交流線に電力系統及び発電装置の両方から電力が供給されていない場合、即ち、例えば電力系統で停電などが発生すると共に発電装置の運転が停止している状況であっても、気化部は、無停電電源装置に蓄えられている電力の供給を受けて動作できる。更に、無停電電源装置には補助電源装置からの電力供給も行われるので、気化部には無停電電源装置から継続して電力が供給される。そのため、交流線から電力が供給されないことで熱供給部が動作できないために熱供給部から気化部に熱を継続的に供給できなくても、気化部が保持している熱とＬＮＧとの温度差が有る限りは、ＬＮＧを気化して得られる天然ガスを含む燃料ガスが発電装置に供給される。その結果、発電装置は、電力系統で停電などが発生すると共に発電装置の運転が停止している状況であっても、燃料ガス供給部から供給される燃料ガスを消費して運転を開始してその運転を一時的であっても継続できる。
【００２１】
以上のように、電力系統で停電などが発生すると共に発電装置の運転が停止している状況であっても、発電装置の運転を開始してその運転を一時的であっても継続することで、発電装置から交流線に電力が供給される状況が作り出される。その結果、燃料ガス供給部の熱供給部には交流線から電力が供給されるため、燃料ガス供給部では、熱供給部から気化部に熱が継続的に供給され、且つ、供給される熱を用いて気化部でＬＮＧが継続的に気化される。そして、燃料ガス供給部から発電装置に対して燃料ガスが継続的に供給されるため、発電装置は運転を継続して交流線に電力の供給を行い続けることができる。
従って、電力系統からの電力供給の停止が長時間になっても、発電装置の運転を開始してその運転を継続できるＬＮＧサテライト設備を提供できる。
【００２２】
本発明に係るＬＮＧサテライト設備の更に別の特徴構成は、前記燃料ガス供給部は、ＬＮＧ貯槽で発生したボイルオフガスを前記燃料ガスとして前記発電装置に供給するボイルオフガス供給部を有し、
前記ボイルオフガス供給部は前記無停電電源装置を介して電力の供給を受けて動作するように構成される点にある。
【００２３】
上記特徴構成によれば、交流線に電力系統及び発電装置の両方から電力が供給されていない場合、即ち、例えば電力系統で停電などが発生すると共に発電装置の運転が停止している状況であっても、気化部及びボイルオフガス供給部は、無停電電源装置から供給される電力を用いて動作できる。更に、無停電電源装置に蓄えられていた電力が無くなったとしても、気化部及びボイルオフガス供給部は、補助電源装置から無停電電源装置を介して供給される電力を用いて動作できる。そのため、上述したように気化部で気化された天然ガスを発電装置に供給できるだけでなく、ボイルオフガス供給部から発電装置にボイルオフガスを供給できる。よって、気化部から発電装置へ供給できるガス量が少なくても、ボイルオフガス供給部から供給されるガスによって、発電装置が必要とする燃料ガス量の少なくとも一部を賄うことができる。
【００２４】
本発明に係るＬＮＧサテライト設備の更に別の特徴構成は、前記発電装置は、前記電力系統から前記交流線への電力供給が停止すると、発電を停止した後、前記補助電源装置から供給される電力を用いて動作することで発電を再開するように構成されている点にある。
【００２５】
上記特徴構成によれば、発電装置は、電力系統から交流線への電力供給が停止したとしても、補助電源装置から供給される電力を用いて動作することで発電を自動的に再開できる。それにより、交流線に電力が供給された状態を回復することができる。
【００２６】
本発明に係るＬＮＧサテライト設備の更に別の特徴構成は、前記燃料ガス供給部から前記発電装置に供給される燃料ガスが通るガス流路の途中に、燃料ガスを一時的に貯えることができる貯留空間を有する燃料ガス貯留部を備える点にある。
【００２７】
上記特徴構成によれば、気化部で気化された天然ガスが少なくても、燃料ガス貯留部から発電装置へ充分な量の燃料ガスを供給できる。また、燃料ガス供給部から供給される単位時間当たりのガス量が変動しても、その変動が燃料ガス貯留部で緩和されて、発電装置へは伝わり難くなる。
【００２８】
本発明に係るＬＮＧサテライト設備の更に別の特徴構成は、前記熱供給部は、前記交流線への電力供給が再開されると、動作を再開するように構成されている点にある。
【００２９】
上記特徴構成によれば、交流線への電力供給が再開されると、熱供給部は、交流線から電力の供給を受けて動作し、気化部に対して継続的な熱の供給を行うことができる。その結果、気化部でのＬＮＧの気化が、熱供給部から継続的に供給される熱を用いて行われるようになる。
【００３０】
本発明に係るＬＮＧサテライト設備の更に別の特徴構成は、前記気化部は、前記交流線から電力が供給されないことで前記熱供給部が動作できないために前記熱供給部から前記気化部に熱を継続的に供給できない場合であっても、ＬＮＧを気化して所定量の天然ガスを生成できる熱を保持可能な熱媒体を有するように構成され、
前記所定量は、前記発電装置を起動してその発電電力を前記交流線に供給できるようになるまでの間に前記発電装置で消費される前記燃料ガスとしての天然ガスの量に相当する点にある。
【００３１】
上記特徴構成によれば、熱供給部から気化部に熱を継続的に供給できない場合であっても、気化部が有する熱媒体が保持している熱によりＬＮＧを気化して、発電装置を起動してその発電電力を交流線に供給できるようになるまでの間に発電装置で消費される量の天然ガスを生成できる。
【図面の簡単な説明】
【００３２】
【図１】第１実施形態のＬＮＧサテライト設備の概略的な構成を説明する図である。
【図２】交流線に電力系統及び発電装置の少なくとも一方から電力が供給されている状態を示す図である。
【図３】交流線に電力系統及び発電装置の両方から電力が供給されていない状態を示す図である。
【図４】ＬＮＧサテライト設備の具体例を示す図である。
【図５】電力系統で停電が発生した直後の状態を示す図である。
【図６】発電装置が起動した後の状態を示す図である。
【図７】電力系統からの電力供給が再開した後の状態を示す図である。
【図８】発電装置を電力系統に再連系させた状態を示す図である。
【図９】第２実施形態のＬＮＧサテライト設備の概略的な構成を説明する図である。
【図１０】第２実施形態の燃料ガス供給部の構成例を示す図である。
【図１１】第３実施形態のＬＮＧサテライト設備の概略的な構成を説明する図である。
【発明を実施するための形態】
【００３３】
＜第１実施形態＞
以下に図面を参照して本発明の第１実施形態に係るＬＮＧサテライト設備について説明する。
図１は、第１実施形態のＬＮＧサテライト設備の概略的な構成を説明する図である。ＬＮＧサテライト設備が設けられるＬＮＧサテライト基地には、ＬＮＧ（液化天然ガス）を輸送するＬＮＧタンカーを受け入れるＬＮＧ受入基地から、例えばＬＮＧローリーなどを用いてＬＮＧが輸送される。図示するように、ＬＮＧサテライト設備は、ＬＮＧを気化して得られる天然ガスを含む燃料ガスを発電装置１１に供給する燃料ガス供給部３０と、燃料ガス供給部３０から供給される燃料ガスを消費して発電を行う発電装置１１と、電力系統１及び発電装置１１の少なくとも一方から電力が供給される交流線２とを備える。
【００３４】
図１に示す例では、交流線２には、重要電力負荷３と一般電力負荷４とが接続されている。具体的には、交流線２は遮断器Ａを介して電力系統１に接続され、重要電力負荷３は遮断器Ｃを介して交流線２に接続され、一般電力負荷４は遮断器Ｄを介して交流線２に接続されている。重要電力負荷３は、例えば、主要な照明装置、サーバ装置、通信装置、計器類などである。一般電力負荷４は、電力系統１の停電時には消灯しても構わない照明装置などである。尚、ＬＮＧサテライト基地に設けられている電力負荷のうち、どの電力負荷を重要電力負荷３とし、どの電力負荷を一般電力負荷４とするのかは、適宜設定可能である。
【００３５】
燃料ガス供給部３０は、供給される熱を保持すると共にその保持している熱とＬＮＧとの温度差によりＬＮＧを気化する気化部３６と、熱を気化部３６に供給する熱供給部３１とを有する。熱供給部３１は交流線２から電力の供給を受けて動作する。気化部３６は、例えばＬＮＧやガスの流路を開閉する電磁弁などを有し、複数の電力供給元に接続される電源切替装置８から電力の供給を受けて動作する。
【００３６】
発電装置１１は、燃料ガス供給部３０から供給される燃料ガスを消費して動作するエンジン１１ａと、そのエンジン１１ａによって駆動される発電機１１ｂとを有する。発電機１１ｂは、交流線２に接続される。発電機１１ｂで発電された電力は交流線２に供給される。
【００３７】
ＬＮＧサテライト設備は、交流線２に接続される補助電源装置２０を備える。補助電源装置２０は、交流線２に接続される蓄電部２１を有し、交流線２に供給されている電力を蓄電部２１で蓄えると共に、発電装置１１を起動するための電力を発電装置１１に供給できる。例えば、補助電源装置２０は、発電装置１１に付随して設けられる装置である。そのため、蓄電部２１は、例えば電力系統１からの電力供給が停止した停電時に、発電装置１１を起動するのに要する電力を充分に供給できるだけの容量を有していることが好ましい。
【００３８】
ＬＮＧサテライト設備は、電源切替装置８を備える。電源切替装置８は、燃料ガス供給部３０の気化部３６にとっての電力供給元を、交流線２及び補助電源装置２０の何れか一方に自動的に切り替えるように動作する。例えば、電源切替装置８は、交流線２に接続される接点ａと、補助電源装置２０に接続される接点ｂと、燃料ガス供給部３０の気化部３６に接続される接点ｃとを備える。尚、これら接点ａ〜接点ｃは物理的な接触及び非接触が切り替えられるものに限定されず、例えば半導体素子などを用いて導通及び非導通が切り替えられるものであってもよい。そして、電源切替装置８は、交流線２から接点ａへの電力供給が行われている場合は接点ａと接点ｃとを導通させる（即ち、燃料ガス供給部３０の気化部３６には交流線２から電力が供給される）ように動作し、交流線２から接点ａへの電力供給が行われていない場合は接点ｂと接点ｃとを導通させる（即ち、燃料ガス供給部３０の気化部３６には補助電源装置２０から電力が供給される）ように動作する。
【００３９】
つまり、電源切替装置８は、交流線２に電力系統１及び発電装置１１の少なくとも一方から電力が供給されている場合、電力供給元としての交流線２から供給される電力を気化部３６に供給する。その結果、電力系統１及び発電装置１１の少なくとも一方から交流線２に電力が供給されている場合、燃料ガス供給部３０の熱供給部３１には交流線２から電力が供給され、燃料ガス供給部３０の気化部３６には交流線２から電源切替装置８を経由して電力が供給される。つまり、燃料ガス供給部３０の気化部３６では、熱供給部３１から供給される熱を用いてＬＮＧの気化を継続的に行うことができる。そして、発電装置１１では、燃料ガス供給部３０から継続的に供給される燃料ガスを消費して、運転を継続できる。
【００４０】
それに対して、電源切替装置８は、交流線２に電力系統１及び発電装置１１の両方から電力が供給されていない場合、電力供給元としての補助電源装置２０の蓄電部２１から供給される電力を気化部３６に供給する。その結果、交流線２に電力系統１及び発電装置１１の両方から電力が供給されていない場合であっても、即ち、例えば電力系統１で停電などが発生すると共に発電装置１１の運転が停止している状況であっても、気化部３６は、電源切替装置８を経由して補助電源装置２０から供給される電力を用いて動作できる。そのため、交流線２から電力が供給されないことで熱供給部３１が動作できないために熱供給部３１から気化部３６に熱を継続的に供給できなくても、気化部３６が保持している熱とＬＮＧとの温度差が有る限りは、ＬＮＧを気化して得られる天然ガスを含む燃料ガスが発電装置１１に供給される。その結果、発電装置１１は、電力系統１で停電などが発生すると共に発電装置１１の運転が停止している状況であっても、燃料ガス供給部３０から供給される燃料ガスを消費して運転を開始してその運転を一時的であっても継続できる。
【００４１】
以上のように、電力系統１で停電などが発生すると共に発電装置１１の運転が停止している状況であっても、発電装置１１の運転を開始してその運転を一時的であっても継続することで、発電装置１１から交流線２に電力が供給されている状況が作り出される。その結果、燃料ガス供給部３０の熱供給部３１には交流線２から電力が供給されるため、燃料ガス供給部３０では、熱供給部３１から気化部３６に熱が継続的に供給され、且つ、供給される熱を用いて気化部３６でＬＮＧが継続的に気化される。そして、燃料ガス供給部３０から発電装置１１に対して燃料ガスが継続的に供給されるため、発電装置１１は運転を継続して交流線２に電力の供給を行い続けることができる。
【００４２】
図２は、交流線２に電力系統１及び発電装置１１の少なくとも一方から電力が供給されている状態を示す図である。図中では、電力の供給が行われている箇所を太線で描き、投入されている（接続されている）遮断器を太線で描いている。図２に記載した例では、交流線２に電力系統１及び発電装置１１の両方から電力が供給されている。そして、電源切替装置８は、接点ａと接点ｃとを導通させている。その結果、燃料ガス供給部３０の気化部３６には、交流線２から電源切替装置８を経由して電力が供給される。また、燃料ガス供給部３０の熱供給部３１にも交流線２から電力が供給される。従って、燃料ガス供給部３０の気化部３６では、熱供給部３１から供給された熱を用いてＬＮＧの気化を継続的に行うことができる。
【００４３】
発電装置１１は、燃料ガス供給部３０から継続的に供給される天然ガスを含む燃料ガスを消費して、運転を継続的に行うことができる。発電装置１１は、発生した電力を交流線２へと供給できる。そして、発電装置１１から交流線２に供給された電力は、重要電力負荷３及び一般電力負荷４でも消費できる。
【００４４】
図３は、交流線２に電力系統１及び発電装置１１の両方から電力が供給されていない状態を示す図である。例えば、図３に示すのは、電力系統１で停電が発生した直後の状態に対応する。この状態では交流線２に電力が供給されていないため、電源切替装置８は接点ｂと接点ｃとを導通させている。その結果、燃料ガス供給部３０の気化部３６には、補助電源装置２０から電源切替装置８を経由して電力が供給される。交流線２には電力が供給されていないため、燃料ガス供給部３０の熱供給部３１には電力が供給されない。そのため、燃料ガス供給部３０において熱供給部３１から気化部３６への熱の供給が行われない。
【００４５】
但し、燃料ガス供給部３０の熱供給部３１に電力が供給されなくなることで、燃料ガス供給部３０において熱供給部３１から気化部３６への熱の供給が行われなくなったとしても、燃料ガス供給部３０の気化部３６が、それ以前に燃料ガス供給部３０の熱供給部３１から供給されていた熱を保持しており、その保持している熱とＬＮＧとの温度差が存在していれば、気化部３６ではＬＮＧを気化させることができる。そして、気化部３６で気化した天然ガスを含む燃料ガスを発電装置１１へ供給できる。また、補助電源装置２０は、発電装置１１を起動するための電力を発電装置１１に供給できる。その結果、発電装置１１は、燃料ガス供給部３０から供給される燃料ガスを消費して運転を開始してその運転を一時的であっても継続できる。
【００４６】
そして、発電装置１１が、燃料ガス供給部３０から供給される燃料ガスを消費して運転を開始してその運転を一時的であっても継続すると、発電装置１１が発生した電力が交流線２に供給されるため、熱供給部３１への電力供給も再開される。その結果、燃料ガス供給部３０において熱供給部３１から気化部３６への熱の供給が再開されて、気化部３６でのＬＮＧの気化が確実に行われるようになる。また、交流線２に電力が供給されることで、電源切替装置８は接点ａと接点ｃとを導通させて、気化部３６にも交流線２から電力が供給され続ける。
以上のように、図３に示したような、電力系統１で停電が発生した直後の状態であっても、その後、発電装置１１が継続的に運転できる状態へと発電装置１１の状態を移行させることができる。
【００４７】
図４は、ＬＮＧサテライト設備の具体例を示す図である。
交流線２は、遮断器Ａを介して電力系統１に接続されている。交流線２の途中には分電盤や端子台などが設けられて電力線が分岐しているが、図４ではそれらの分電盤や端子台などについては図示を省略する。図４に示す例では、交流線２の第１接続箇所Ｐ１には、遮断器Ｄを介して一般電力負荷４が接続されている。交流線２の第２接続箇所Ｐ２には、遮断器Ｃを介して重要電力負荷３が接続されている。交流線２の第３接続箇所Ｐ３には、遮断器Ｆを介して発電装置１１が接続されている。交流線２の第４接続箇所Ｐ４には、発電装置１１で用いられるポンプやファンなどの発電装置補機１２が接続されている。交流線２の第５接続箇所Ｐ５には、補助電源装置２０が接続されている。交流線２の第６接続箇所Ｐ６には、変圧器１０を介して電源切替装置８が接続されている。交流線２の第７接続箇所Ｐ７には、燃料ガス供給部３０の熱供給部３１が接続されている。
【００４８】
交流線２の第１接続箇所Ｐ１と第２接続箇所Ｐ２との間には遮断器Ｂが設けられ、第２接続箇所Ｐ２と第３接続箇所Ｐ３との間には遮断器Ｅが設けられる。交流線２の第３接続箇所Ｐ３と第４接続箇所Ｐ４との間には変圧器９が設けられる。
【００４９】
補助電源装置２０は、蓄電部２１と、電力変換器２２と、変圧部２３と、電力変換器２４とを有する。電力変換器２２は、交流線２の第５接続箇所Ｐ５に接続され、交流線２から入力される交流電力を直流電力に変換して蓄電部２１及び変圧部２３の側へ出力する。変圧部２３は、例えばシリコンドロッパなどを用いた降圧回路である。電力変換器２４は、変圧部２３で降圧された後の直流電力を所望の交流電力に変換して電源切替装置８の接点ｂの側へ出力する。
【００５０】
補助電源装置２０において、変圧部２３と電力変換器２４との間の直流部からは、発電装置制御部Ｃ２及び遮断器制御部Ｃ３へと直流電力が供給される。補助電源装置２０は、交流線２に電力が供給されなくなっても、発電装置制御部Ｃ２及び遮断器制御部Ｃ３に対して、蓄電部２１に蓄えられている電力を供給できる。つまり、発電装置制御部Ｃ２及び遮断器制御部Ｃ３は、交流線２に電力が供給されなくなっても、補助電源装置２０から電力が供給されている限り、動作し続けることができる。
発電装置制御部Ｃ２及び遮断器制御部Ｃ３の動作については後述する。
【００５１】
図４に示したＬＮＧサテライト設備では無停電電源装置１３を設けている。無停電電源装置１３は、電源切替装置８と気化部３６との間に接続され、その電源切替装置８から供給される電力を蓄えると共に気化部３６に電力を供給できる。この場合、電源切替装置８は、無停電電源装置１３にとっての電力供給元を交流線２及び補助電源装置２０の何れか一方に切り替えるように動作する。具体的には、電源切替装置８の接点ｃには無停電電源装置１３が接続され、その無停電電源装置１３にはサテライト制御部Ｃ１及び燃料ガス供給部３０の気化部３６が接続されるような構成になっている。このような構成を採用することで、例えば交流線２で瞬時電圧低下が発生しても、無停電電源装置１３を経由して、サテライト制御部Ｃ１及び気化部３６へは安定した電力供給を行うことができる。また、交流線２に電力系統１及び発電装置１１の両方から電力が供給されていない場合、即ち、例えば電力系統１で停電などが発生すると共に発電装置１１の運転が停止している状況であっても、サテライト制御部Ｃ１及び気化部３６は、無停電電源装置１３に蓄えられている電力の供給を受けて動作できる。
【００５２】
このような無停電電源装置１３が設けられている場合、電源切替装置８は、上述したような、自動的に、無停電電源装置１３にとっての電力供給元を交流線２及び補助電源装置２０の何れか一方に切り替えるように動作する構成であっても良いし、或いは、他の制御機器からの指令に応じて、無停電電源装置１３にとっての電力供給元を交流線２及び補助電源装置２０の何れか一方に切り替えるように動作するスイッチを用いて構成されてもよい。後者の場合、上記制御機器は、無停電電源装置１３に蓄えられている電力（蓄電残量）を監視しており、その蓄電残量が設定値以上の場合（即ち、無停電電源装置１３から電力が供給されている場合）には無停電電源装置１３が交流線２に接続されるように電源切替装置８を動作させ、その蓄電残量が設定値未満になると（即ち、無停電電源装置１３から電力が供給されなくなると）、次に交流線２への電力供給が開始されるまでは、無停電電源装置１３が補助電源装置２０に接続されて、補助電源装置２０から無停電電源装置１３への電力供給が行われるように電源切替装置８を動作させるような制御を行うことができる。
【００５３】
燃料ガス供給部３０の熱供給部３１は、熱媒が循環する熱媒流路３３、及び、その熱媒流路３３を循環する熱媒を加熱できる加熱部３２、及び、熱媒流路３３において熱媒を循環させるポンプ３４、及び、熱媒流路３３を流れる熱媒が保有する熱とＬＮＧ流路６を流れるＬＮＧとを熱交換させる熱交換器３５を有する。本実施形態では、ＬＮＧ流路６は電磁弁３７の下流側で二手に分岐しており、分岐後のＬＮＧ流路６ａ，６ｂの夫々に電磁弁３８ａ，３８ｂと熱交換器３５ａ，３５ｂが設けられている。このような構成により、熱交換器３５ではＬＮＧが気化され、熱交換器３５で気化された天然ガスは、ガス流路７ａ、７ｂを通り、ガバナー３９によって圧力が調整された上でガス流路７から発電装置１１の側へ供給される。
【００５４】
加熱部３２は、例えばガスを燃焼させ、その燃焼熱を利用して熱媒流路３３を流れる熱媒を加熱するボイラを用いて構成される。燃焼させるガスは例えばガス流路７から分岐させた天然ガスである。このようなボイラでは、酸素（空気）を供給するためのファン（図示せず）などを動作させるために電力が必要である。また、熱媒を循環させるためのポンプ３４を動作させるのにも電力が必要である。本実施形態では、燃料ガス供給部３０の熱供給部３１は交流線２の第７接続箇所Ｐ７に接続されており、交流線２から供給される電力を用いて熱供給部３１（例えば、上述したファンやポンプ３４など）は動作する。
【００５５】
燃料ガス供給部３０の気化部３６は、ＬＮＧ流路６の途中に設けられる電磁弁３７、及び、その電磁弁３７よりも下流側で分岐したＬＮＧ流路６ａ，６ｂの途中に設けられる電磁弁３８ａ，３８ｂ、及び、熱媒流路３３を流れる熱媒が保有する熱とＬＮＧ流路６を流れるＬＮＧとを熱交換させる熱交換器３５ａ，３５ｂを有する。電磁弁３７及び電磁弁３８ａ，３８ｂの動作はサテライト制御部Ｃ１が制御する。つまり、燃料ガス供給部３０の気化部３６は、電源切替装置８を経由して供給される電力を用いて動作する。
【００５６】
次に、図５〜図８を参照して、電力系統１で停電が発生した直後から、発電装置１１が起動し、電力系統１からの電力供給が再開し、発電装置１１を電力系統１に再連系させるまでのＬＮＧサテライト設備の動作例について説明する。尚、図中では、電力の供給が行われている箇所を太線で描き、投入されている（接続されている）遮断器を太線で描いている。
【００５７】
〔停電発生直後〕
図５は、電力系統１で停電が発生した直後の状態を示す図である。
発電装置制御部Ｃ２は、電力系統１で停電が発生すると、発電装置１１を停止させると共に遮断器Ｆを遮断作動させる。例えば、電力系統１での停電の発生は、電力系統１での電力の電圧を検出できる電圧センサを用いて実現できる。その場合、発電装置制御部Ｃ２は、遮断器Ａよりも電力系統１の側での電圧が所定の電圧よりも低下すると、電力系統１で停電が発生したと判定する。そして、発電装置制御部Ｃ２は、電力系統１で停電が発生したと判定すると、自身のエンジン１１ａ及び発電機１１ｂを停止させる。その結果、電力系統１及び発電装置１１の両方からの交流線２への電力供給が停止するが、発電装置制御部Ｃ２及び遮断器制御部Ｃ３へは、補助電源装置２０の蓄電部２１に電力が蓄えられている限り、補助電源装置２０からの電力供給が継続される。また、発電装置制御部Ｃ２は、エンジン１１ａ及び発電機１１ｂの動作を検証する自動リセット機能を実行する。
【００５８】
遮断器制御部Ｃ３は、電力系統１で停電が発生して、遮断器Ａよりも電力系統１の側での電圧が所定の電圧よりも低下すると、遮断器Ａ、遮断器Ｂ、遮断器Ｃ、遮断器Ｄを遮断作動させる。加えて、遮断器制御部Ｃ３は、電力系統１及び発電装置１１の両方からの交流線２への電力供給が停止すると、遮断器Ｅを遮断作動させる。各遮断器が以上のように作動することで、重要電力負荷３及び一般電力負荷４には電力が供給されなくなる。
【００５９】
交流線２には電力が供給されていないため、電源切替装置８は、接点ｂと接点ｃとを導通させるように動作する。その結果、サテライト制御部Ｃ１及び気化部３６に対して、補助電源装置２０の蓄電部２１に蓄えられている電力を供給可能な状態になる。サテライト制御部Ｃ１は、気化部３６を構成する電磁弁３７を開作動させ、電磁弁３８ａ，３８ｂの少なくとも一方を開作動させることで、ＬＮＧを熱交換器３５に供給することができる。この状態では熱供給部３１には電力が供給されていないため、加熱部３２で新たに熱を発生させることはできず且つ熱媒流路３３に熱媒を流すこと（即ち、熱交換器３５に熱を新たに供給すること）はできないが、電力系統１で停電が発生する前に熱交換器３５が保持していた熱が残っている。そのため、熱交換器３５では、保持している熱と供給されるＬＮＧとの温度差によりＬＮＧを気化することができる。
【００６０】
気化部３６が有する熱交換器３５は、熱媒流路３３から供給される熱をできるだけ多く保持できる材料や構造を採用しておくことが好ましい。例えば、熱交換器３５を構成する材料が多くの熱を保持可能な熱媒体として機能するように構成しておくと、熱媒流路３３から新たな熱が供給されなくなっても、既に保持している熱を用いてより多くのＬＮＧを気化できる。具体的には、気化部３６は、交流線２から電力が供給されないことで熱供給部３１が動作できないために熱供給部３１から気化部３６に熱を継続的に供給できない場合であっても、ＬＮＧを気化して所定量の天然ガスを生成できる熱を保持可能な熱媒体を有するように構成される。例えば、上記所定量は、発電装置１１を起動してその発電電力を交流線２に供給できるようになるまでの間に発電装置１１で消費される燃料ガスとしての天然ガスの量に相当する。そうすると、熱供給部３１から気化部３６に熱を継続的に供給できない場合であっても、気化部３６が有する熱媒体が既に保持している熱によりＬＮＧを気化して、発電装置１１を起動してその発電電力を交流線２に供給できるようになるまでの間に発電装置１１で消費される量の天然ガスを生成できる。
以上のようにして、図５に示す状態では、熱交換器３５で気化された天然ガスをガス流路７を介して発電装置１１へと供給できる。
【００６１】
〔発電装置起動後〕
図６は、発電装置１１が起動した後の状態を示す図である。
発電装置制御部Ｃ２は、上述のように気化された天然ガスを含む燃料ガスを消費してエンジン１１ａの運転を開始させ、そのエンジン１１ａによって発電機１１ｂを駆動して、発電装置１１の発電運転を開始させる。つまり、発電装置１１は、電力系統１から交流線２への電力供給が停止すると、発電を停止した後、補助電源装置２０から供給される電力を用いて動作することで発電を再開するように構成されている。例えば、発電装置制御部Ｃ２は、上述した自動リセット機能を実行した後、自身のエンジン１１ａ及び発電機１１ｂの運転を開始させる自動起動機能（ブラックアウトスタート機能：ＢＯＳ機能）を実行させる。その後、発電装置制御部Ｃ２は、発電機１１ｂの出力電圧が所定電圧（例えば６．６ｋＶ等）になると遮断器Ｆを投入し、それに応じて例えば第３接続箇所Ｐ３での電圧が所定電圧（例えば６．６ｋＶ等）になると、遮断器制御部Ｃ３は遮断器Ｅを投入する。加えて、遮断器制御部Ｃ３は、遮断器Ｃを投入する。その結果、電力系統１は停電中ではあるが、発電装置１１から交流線２への電力供給が再開され、重要電力負荷３へも電力が供給される。加えて、発電装置１１で用いられるポンプやファンなどの発電装置補機１２にも交流線２から電力が供給される。
【００６２】
交流線２に電力が供給されているため、電源切替装置８は、接点ａと接点ｃとを導通させるように動作する。その結果、サテライト制御部Ｃ１及び気化部３６に対しては、交流線２から電力を供給可能な状態になる。また、燃料ガス供給部３０の熱供給部３１へも交流線２から電力が供給可能になる。そして、熱供給部３１は、交流線２への電力供給が再開されると、動作を再開するように構成されている。本実施形態では、サテライト制御部Ｃ１は、交流線２から供給される電力を用いて熱供給部３１の加熱部３２及びポンプ３４を動作させて、熱供給部３１から気化部３６への熱の供給を開始する。例えば、熱供給部３１の加熱部３２は、交流線２への電力供給（即ち、自身への電力供給）が再開されると、自身の動作を検証する自動リセット機能を実行する。尚、加熱部３２に供給される燃焼用のガス圧が低下している場合や、燃焼用空気の吸気フィルタの目詰まりが発生している場合などには、自動リセット機能を正常に実行できないこともある。そして、熱供給部３１の加熱部３２は、自動リセット機能が正常に実行できれば、その後、熱媒流路３３を循環する熱媒に対する加熱動作を再開する。また、ポンプ３４も運転を開始する。それにより、気化部３６でのＬＮＧの気化が、熱供給部３１から継続的に供給される熱を用いて行われるようになる。
【００６３】
〔電力系統復電直後〕
図７は、電力系統１からの電力供給が再開した後の状態を示す図である。
発電装置制御部Ｃ２は、電力系統１からの電力供給が再開されて、遮断器Ａよりも電力系統１の側での電圧が所定の電圧以上になると（即ち、復電すると）、遮断器Ａ及び遮断器Ｄを投入する。その結果、一般電力負荷４には電力系統１から電力が供給される。
尚、この時点では遮断器Ｂが遮断作動しているため、発電装置１１は電力系統１に連系されていない。
【００６４】
〔系統連系後〕
図８は、発電装置１１を電力系統１に再連系させた状態を示す図である。
発電装置制御部Ｃ２は、遮断器Ｂの一次側（電力系統１側）と二次側（発電装置１１側）とで電力が同期するように発電装置１１の動作を制御し、同期したタイミングで遮断器制御部Ｃ３に対して遮断器Ｂの投入指令を行う。そして、遮断器制御部Ｃ３が遮断器Ｂを投入することで、発電装置１１と電力系統１とが連系される。
【００６５】
＜第２実施形態＞
第２実施形態のＬＮＧサテライト設備は、ボイルオフガス供給部４１及び燃料ガス貯留部５０を備える点で第１実施形態と異なる。以下に第２実施形態のＬＮＧサテライト設備について説明するが、第１実施形態と同様の構成については説明を省略する。
【００６６】
図９は、第２実施形態のＬＮＧサテライト設備の概略的な構成を説明する図である。図示するように、燃料ガス供給部３０は、ＬＮＧ貯槽５で発生したボイルオフガス（ＢＯＧ）を燃料ガスとして発電装置１１に供給するボイルオフガス供給部４１を有する。ボイルオフガス供給部４１は、気化部３６と同様に電源切替装置８の接点ｃに接続されており、電源切替装置８を経由して、交流線２又は補助電源装置２０から電力の供給を受けることができる。つまり、本実施形態の電源切替装置８は、交流線２に電力系統１及び発電装置１１の少なくとも一方から電力が供給されている場合、電力供給元としての交流線２から供給される電力を気化部３６及びボイルオフガス供給部４１に供給し、交流線２に電力系統１及び発電装置１１の両方から電力が供給されていない場合、電力供給元としての補助電源装置２０から供給される電力を気化部３６及びボイルオフガス供給部４１に供給するように構成される。
【００６７】
加えて、本実施形態のＬＮＧサテライト設備は、燃料ガス供給部３０から発電装置１１に供給される燃料ガスが通るガス流路７の途中に、燃料ガスを一時的に貯えることができる貯留空間を有する燃料ガス貯留部５０を備える。
【００６８】
図１０は、燃料ガス供給部３０の構成例を示す図である。ＬＮＧサテライト設備は、ボイルオフガス供給部４１を備えることで、ＬＮＧ貯槽５の内部に存在するボイルオフガスをボイルオフガス流路４０を経由して発電装置１１に供給できる。図示するように、ボイルオフガス供給部４１は、ＢＯＧ加温器４２、及び、電磁弁４３、及び、ガバナー４４を有する。ＢＯＧ加温器４２は、ボイルオフガス流路４０を通って供給される、ＬＮＧ貯槽５の内部に存在していたボイルオフガスを、例えば大気の熱により加温する装置である。電磁弁４３の動作は図４に示したサテライト制御部Ｃ１が制御する。このような構成により、ボイルオフガス供給部４１からは、加温されたボイルオフガスが下流側へと供給され、ガバナー４４によって圧力が調整された上でガス流路７を通って発電装置１１の側へ供給される。
【００６９】
例えば、ボイルオフガス供給部４１のガバナー４４の設定圧は、気化部３６によって気化されたガスの圧力を調整するガバナー３９の設定圧よりも高く設定されている。従って、ボイルオフガス供給部４１及び気化部３６の両方から発電装置１１に対して燃料ガスを供給可能な状態になっている場合、ボイルオフガス供給部４１から発電装置１１への燃料ガスの供給が優先して行われる。
【００７０】
このように、燃料ガス供給部３０がボイルオフガス供給部４１を有している場合、気化部３６から発電装置１１へ供給できるガス量が少なくても、ボイルオフガス供給部４１から供給されるガスによって、発電装置１１が必要とする燃料ガス量の少なくとも一部を賄うことができる。
【００７１】
加えて、ＬＮＧサテライト設備はガス流路７の途中に燃料ガス貯留部５０を備えるので、気化部３６で気化された天然ガスが少なくても、その燃料ガス貯留部５０から発電装置１１へ充分な量の燃料ガスを供給できる。また、燃料ガス供給部３０から供給される単位時間当たりのガス量が変動しても、その変動が燃料ガス貯留部５０で緩和されて、発電装置１１へは伝わり難くなる。燃料ガス貯留部５０において燃料ガスを一時的に貯えることができる貯留空間の容量をどの程度にするのかは適宜設定可能である。
【００７２】
本実施形態の場合でも、電力系統１で停電が発生した直後、サテライト制御部Ｃ１は、気化部３６を構成する電磁弁３７を開作動させ、電磁弁３８ａ，３８ｂの少なくとも一方を開作動させる。それにより、気化部３６を構成する熱交換器３５にＬＮＧを供給して、熱交換器３５で気化された天然ガスをガス流路７を介して発電装置１１へと供給できる。加えて、電力系統１で停電が発生した直後、サテライト制御部Ｃ１は、ボイルオフガス供給部４１の電磁弁４３を開作動させる。それにより、ＬＮＧ貯槽５の内部に存在するボイルオフガスがボイルオフガス流路４０に流れ出す。そして、ボイルオフガスは、ＢＯＧ加温器４２で加温され、ガバナー４４によって圧力が調整された上でガス流路７に合流する。尚、サテライト制御部Ｃ１が、電力系統１で停電が発生した直後にボイルオフガス供給部４１の電磁弁４３を開作動させる期間を所定期間だけに制限してもよい。
【００７３】
＜第３実施形態＞
第３実施形態のＬＮＧサテライト設備は、気化部３６への電力供給形態が上記実施形態と異なる。以下に第３実施形態のＬＮＧサテライト設備について説明するが、上記実施形態と同様の構成については説明を省略する。
【００７４】
図１１は、第３実施形態のＬＮＧサテライト設備の概略的な構成を説明する図である。図示するように、ＬＮＧサテライト設備は、ＬＮＧを気化して得られる天然ガスを含む燃料ガスを発電装置１１に供給する燃料ガス供給部３０と、燃料ガス供給部３０から供給される燃料ガスを消費して発電を行う発電装置１１と、電力系統１及び発電装置１１の少なくとも一方から電力が供給される交流線２とを備える。
本実施形態のＬＮＧサテライト設備には、上記実施形態と異なり、電源切替装置８を設けていない。
【００７５】
加えて、ＬＮＧサテライト設備は、交流線２に接続される蓄電部２１を有し、交流線２に供給されている電力を蓄電部２１で蓄えると共に、発電装置１１を起動するための電力を発電装置１１に供給できる補助電源装置２０と、交流線２及び補助電源装置２０に接続されて、交流線２及び補助電源装置２０の少なくとも何れか一方から電力の供給を受けることができる無停電電源装置１４とを備える。無停電電源装置１４は、交流線２から供給される電力及び補助電源装置２０から供給される電力を蓄えることが出来る蓄電部（図示せず）を有する。燃料ガス供給部３０の熱供給部３１は交流線２から電力の供給を受けて動作し、気化部３６は無停電電源装置１４を介して電力の供給を受けて動作するように構成される。
【００７６】
第３実施形態のＬＮＧサテライト設備でも、電力系統１及び発電装置１１の少なくとも一方から交流線２に電力が供給されている場合、燃料ガス供給部３０の熱供給部３１には交流線２から電力が供給される。また、無停電電源装置１４には交流線２からの電力供給も行われるので、燃料ガス供給部３０の気化部３６には無停電電源装置１４から継続して電力が供給される。つまり、燃料ガス供給部３０の気化部３６では、熱供給部３１から供給される熱を用いてＬＮＧの気化を継続的に行うことができる。その結果、発電装置１１では、燃料ガス供給部３０から継続的に供給される燃料ガスを消費して、運転を継続できる。
【００７７】
交流線２に電力系統１及び発電装置１１の両方から電力が供給されていない場合、即ち、例えば電力系統１で停電などが発生すると共に発電装置１１の運転が停止している状況であっても、気化部３６は、無停電電源装置１４に蓄えられている電力の供給を受けて動作できる。更に、無停電電源装置１４には補助電源装置２０からの電力供給も行われるので、気化部３６には無停電電源装置１４から継続して電力が供給される。そのため、交流線２から電力が供給されないことで熱供給部３１が動作できないために熱供給部３１から気化部３６に熱を継続的に供給できなくても、気化部３６が保持している熱とＬＮＧとの温度差が有る限りは、ＬＮＧを気化して得られる天然ガスを含む燃料ガスが発電装置１１に供給される。その結果、発電装置１１は、電力系統１で停電などが発生すると共に発電装置１１の運転が停止している状況であっても、燃料ガス供給部３０から供給される燃料ガスを消費して運転を開始してその運転を一時的であっても継続できる。
【００７８】
以上のように、電力系統１で停電などが発生すると共に発電装置１１の運転が停止している状況であっても、発電装置１１の運転を開始してその運転を一時的であっても継続することで、発電装置１１から交流線２に電力が供給される状況が作り出される。その結果、燃料ガス供給部３０の熱供給部３１には交流線２から電力が供給されるため、燃料ガス供給部３０では、熱供給部３１から気化部３６に熱が継続的に供給され、且つ、供給される熱を用いて気化部３６でＬＮＧが継続的に気化される。そして、燃料ガス供給部３０から発電装置１１に対して燃料ガスが継続的に供給されるため、発電装置１１は運転を継続して交流線２に電力の供給を行い続けることができる。
【００７９】
また、図示は省略するが、上記第２実施形態で説明したのと同様に、燃料ガス供給部３０は、ＬＮＧ貯槽５で発生したボイルオフガスを燃料ガスとして発電装置１１に供給するボイルオフガス供給部４１を有していてもよい。その場合、ボイルオフガス供給部４１は無停電電源装置１４を介して電力の供給を受けて動作するように構成すればよい。
加えて、ＬＮＧサテライト設備は、燃料ガス供給部３０から発電装置１１に供給される燃料ガスが通るガス流路７の途中に、燃料ガスを一時的に貯えることができる貯留空間を有する燃料ガス貯留部５０を備えていてもよい。
【００８０】
＜別実施形態＞
＜１＞
上記実施形態では、本発明のＬＮＧサテライト設備について具体例を挙げて説明したが、その構成は適宜変更可能である。
例えば、上記実施形態において、発電装置１１は、燃料ガスを燃焼させることで発生する燃焼ガスにより回転するタービンと、そのタービンによって駆動される発電機１１ｂとを備えるタイプなど、様々なタイプの装置によって実現できる。
【００８１】
＜２＞
上記実施形態では、気化部３６が２つの熱交換器３５を備える例を説明したが、気化部３６が備える熱交換器３５の数は適宜設定可能である。但し、図５に示したような電力系統１で停電が発生した直後の状態では、気化部３６で気化されるガスの量ができるだけ多くなるように、気化部３６が備える全ての熱交換器３５でＬＮＧの気化が行われることが好ましい。
【００８２】
＜３＞
上記実施形態では、ＬＮＧサテライト設備に、サテライト制御部Ｃ１及び発電装置制御部Ｃ２及び遮断器制御部Ｃ３が設けられている例を説明したが、ＬＮＧサテライト設備に設ける制御部の数や、どの制御部がどのような機能を担うのかは適宜設定可能である。また、ＬＮＧサテライト設備において、サテライト制御部Ｃ１及び発電装置制御部Ｃ２及び遮断器制御部Ｃ３が上述したような制御を自動的に行っても良いし、ＬＮＧサテライト設備の運用者からの指令に応じて行っても良い。
【００８３】
＜４＞
上記実施形態（別実施形態を含む）で開示される構成は、矛盾が生じない限り、他の実施形態で開示される構成と組み合わせて適用することが可能であり、また、本明細書において開示された実施形態は例示であって、本発明の実施形態はこれに限定されず、本発明の目的を逸脱しない範囲内で適宜改変することが可能である。
【産業上の利用可能性】
【００８４】
本発明は、電力系統からの電力供給の停止が長時間になっても、発電装置の運転を開始してその運転を継続できるＬＮＧサテライト設備に利用できる。
【符号の説明】
【００８５】
１  電力系統
２  交流線
５  ＬＮＧ貯槽
７  ガス流路
８  電源切替装置
１１  発電装置
１３  無停電電源装置
１４  無停電電源装置
２０  補助電源装置
２１  蓄電部
３０  燃料ガス供給部
３１  熱供給部
３６  気化部
４１  ボイルオフガス供給部
５０  燃料ガス貯留部
【図１】
2020056465.tif 000003
【図２】
2020056465.tif 000004
【図３】
2020056465.tif 000005
【図４】
2020056465.tif 000006
【図５】
2020056465.tif 000007
【図６】
2020056465.tif 000008
【図７】
2020056465.tif 000009
【図８】
2020056465.tif 000010
【図９】
2020056465.tif 000011
【図１０】
2020056465.tif 000012
【図１１】
2020056465.tif 000013